(57)【要約】【課題】利用者が、充電開始時に受電端子と充電端子とを接続させる操作、及び、携帯端末を充電台から取り外す操作を簡易に行い得る技術を提供する。【解決手段】（Ａ）端末保持部が第１保持部位置に位置する場合には、アーム部はガイド溝の一端部にガイドされ、柱部は第１柱部位置に配置され、アーム部は第１アーム部位置に配置され、爪部は第１爪部位置に配置され、（Ｂ）端末保持部が第２保持部位置に位置する場合には、アーム部はガイド溝の中間部にガイドされ、柱部は第１柱部位置に配置され、アーム部は第２アーム部位置に配置され、爪部は第２爪部位置に配置され、（Ｃ）端末保持部が第３保持部位置に位置する場合には、アーム部はガイド溝の他端部にガイドされ、柱部は第２柱部位置に配置され、アーム部は第２アーム部位置に配置され、爪部は第３爪部位置に配置される。【選択図】図３
2020048338.tif 000002
【特許請求の範囲】
【請求項１】
携帯端末を保持し、保持された前記携帯端末に搭載される二次電池を充電するための充電台であって、
基部と、
前記基部上に設けられるとともに、前記基部に対して前後方向に揺動可能に取り付けられている端末保持部であって、前記携帯端末の端部を挿入可能な上方開口の受け部と、前記受け部と前記端末保持部の内部とを連通するガイド溝と、を備える前記端末保持部と、
前記受け部の底部に設けられ、前記受け部に挿入された前記携帯端末の受電端子と電気的に接続可能な充電端子と、
前記受け部に挿入される前記携帯端末を、前記受電端子と前記充電端子とが電気的に接続した状態で保持するための保持機構であって、前記受電端子と前記充電端子とが電気的に接続される場合に前記二次電池を充電可能である、前記保持機構と、
を備え、
前記保持機構は、柱部と、アーム部と、爪部と、を備えており、
前記柱部は、下端部が前記基部に取り付けられ、上端部が前記端末保持部内に挿入されるとともに前記受け部の外側方に備えられ、前記上端部は、前記端末保持部内において、前記下端部を支点として、前記前後方向と直交する内外方向に揺動可能であり、
前記アーム部は、後端部が前記端末保持部内において前記上端部に取り付けられ、先端部が前記ガイド溝を通って前記受け部内に突出するように備えられ、前記後端部を支点として、前記受け部に近づく位置と前記受け部から離れる位置との間で、前記内外方向に揺動可能であり、
前記爪部は、前記先端部に取り付けられるとともに、前記携帯端末に設けられた係合部に係合可能な形状を有しており、
前記端末保持部は、前記前後方向における前端位置である第１保持部位置と、前記前後方向における中間位置である第２保持部位置と、前記前後方向の後端位置である第３保持部位置と、の間で変位可能であり、
前記柱部は、前記内外方向において前記上端部が前記受け部から最も離れる第１柱部位置と、前記内外方向において前記上端部が前記受け部に最も近づく第２柱部位置と、の間で変位可能であり、
前記アーム部は、前記内外方向において前記先端部が前記受け部から最も離れる第１アーム部位置と、前記内外方向において前記先端部が前記受け部に最も近づく第２アーム部位置と、の間で変位可能であり、
前記爪部は、第１爪部位置と、前記第１爪部位置よりも前記受け部内に突出する第２爪部位置と、前記第１爪部位置及び前記第２爪部位置よりも前記底部に近接する第３爪部位置と、の間で変位可能であり、
前記爪部が前記第１爪部位置に配置される場合には、前記受け部内の前記携帯端末の前記係合部と前記爪部とが係合せず、
前記爪部が前記第２爪部位置に配置される場合には、前記受け部内の前記携帯端末の前記係合部と前記爪部とが係合可能であり、
前記爪部が前記第３爪部位置に配置される場合には、前記受け部内の前記携帯端末の前記係合部と前記爪部とが係合可能であるとともに前記受電端子と前記充電端子とが電気的に接続可能であり、
（Ａ）前記端末保持部が第１保持部位置に位置する場合には、前記アーム部は前記ガイド溝の一端部にガイドされ、前記柱部は前記第１柱部位置に配置され、前記アーム部は前記第１アーム部位置に配置され、前記爪部は前記第１爪部位置に配置され、
（Ｂ）前記端末保持部が第２保持部位置に位置する場合には、前記アーム部は前記ガイド溝の中間部にガイドされ、前記柱部は前記第１柱部位置に配置され、前記アーム部は前記第２アーム部位置に配置され、前記爪部は前記第２爪部位置に配置され、
（Ｃ）前記端末保持部が第３保持部位置に位置する場合には、前記アーム部は前記ガイド溝の他端部にガイドされ、前記柱部は前記第２柱部位置に配置され、前記アーム部は前記第２アーム部位置に配置され、前記爪部は前記第３爪部位置に配置される、
充電台。
【請求項２】
前記底部は、前記端末保持部が第１保持部位置に位置する場合において、前方に向けて傾斜する、請求項１に記載の充電台。
【発明の詳細な説明】
【技術分野】
【０００１】
本明細書で開示する技術は、携帯端末を保持し、保持された携帯端末に搭載される二次電池を充電するための充電台に関する。
【背景技術】
【０００２】
特許文献１には、携帯端末を保持し、保持された携帯端末に搭載される二次電池を充電するための据置式の充電台が開示されている。このような充電台は、携帯端末の端部を挿入可能な上方開口の受け部を有するケースと、受け部の底部に設けられ、受け部に挿入された携帯端末の受電端子と電気的に接続可能な充電端子と、を備える。利用者は、携帯端末の二次電池を充電する場合には、携帯端末を受け部に挿入して、受電端子と充電端子とを電気的に接続させる。
【先行技術文献】
【特許文献】
【０００３】
【特許文献１】特開２００７−２９９１２３号公報
【発明の概要】
【発明が解決しようとする課題】
【０００４】
特許文献１のような充電台で携帯端末の充電を行う場合、利用者は、携帯端末を受け部に挿入する際に、受電端子と充電端子との接続が確保されるまで確実に携帯端末を押し込む必要がある。また、利用者は、携帯端末を充電台から取り外す際も、受電端子と充電端子との接続を解除した上で携帯端末を取り外す必要があるため、片手で充電台を抑え、もう片手で携帯端末を保持して、携帯端末を受け部から上方に引き抜く必要がある。
【０００５】
本明細書では、利用者が、充電開始時に受電端子と充電端子とを接続させる操作、及び、携帯端末を充電台から取り外す操作を簡易に行い得る技術を提供する。
【課題を解決するための手段】
【０００６】
本明細書が開示する充電台は、携帯端末を保持し、保持された前記携帯端末に搭載される二次電池を充電するための充電台であって、基部と、前記基部上に設けられるとともに、前記基部に対して前後方向に揺動可能に取り付けられている端末保持部であって、前記携帯端末の端部を挿入可能な上方開口の受け部と、前記受け部と前記端末保持部の内部とを連通するガイド溝と、を備える前記端末保持部と、前記受け部の底部に設けられ、前記受け部に挿入された前記携帯端末の受電端子と電気的に接続可能な充電端子と、前記受け部に挿入される前記携帯端末を、前記受電端子と前記充電端子とが電気的に接続した状態で保持するための保持機構であって、前記受電端子と前記充電端子とが電気的に接続される場合に前記二次電池を充電可能である、前記保持機構と、を備え、前記保持機構は、柱部と、アーム部と、爪部と、を備えており、前記柱部は、下端部が前記基部に取り付けられ、上端部が前記端末保持部内に挿入されるとともに前記受け部の外側方に備えられ、前記上端部は、前記端末保持部内において、前記下端部を支点として、前記前後方向と直交する内外方向に揺動可能であり、前記アーム部は、後端部が前記端末保持部内において前記上端部に取り付けられ、先端部が前記ガイド溝を通って前記受け部内に突出するように備えられ、前記後端部を支点として、前記受け部に近づく位置と前記受け部から離れる位置との間で、前記内外方向に揺動可能であり、前記爪部は、前記先端部に取り付けられるとともに、前記携帯端末に設けられた係合部に係合可能な形状を有しており、前記端末保持部は、前記前後方向における前端位置である第１保持部位置と、前記前後方向における中間位置である第２保持部位置と、前記前後方向の後端位置である第３保持部位置と、の間で変位可能であり、前記柱部は、前記内外方向において前記上端部が前記受け部から最も離れる第１柱部位置と、前記内外方向において前記上端部が前記受け部に最も近づく第２柱部位置と、の間で変位可能であり、前記アーム部は、前記内外方向において前記先端部が前記受け部から最も離れる第１アーム部位置と、前記内外方向において前記先端部が前記受け部に最も近づく第２アーム部位置と、の間で変位可能であり、前記爪部は、第１爪部位置と、前記第１爪部位置よりも前記受け部内に突出する第２爪部位置と、前記第１爪部位置及び前記第２爪部位置よりも前記底部に近接する第３爪部位置と、の間で変位可能であり、前記爪部が前記第１爪部位置に配置される場合には、前記受け部内の前記携帯端末の前記係合部と前記爪部とが係合せず、前記爪部が前記第２爪部位置に配置される場合には、前記受け部内の前記携帯端末の前記係合部と前記爪部とが係合可能であり、前記爪部が前記第３爪部位置に配置される場合には、前記受け部内の前記携帯端末の前記係合部と前記爪部とが係合可能であるとともに前記受電端子と前記充電端子とが電気的に接続可能であり、（Ａ）前記端末保持部が第１保持部位置に位置する場合には、前記アーム部は前記ガイド溝の一端部にガイドされ、前記柱部は前記第１柱部位置に配置され、前記アーム部は前記第１アーム部位置に配置され、前記爪部は前記第１爪部位置に配置され、（Ｂ）前記端末保持部が第２保持部位置に位置する場合には、前記アーム部は前記ガイド溝の中間部にガイドされ、前記柱部は前記第１柱部位置に配置され、前記アーム部は前記第２アーム部位置に配置され、前記爪部は前記第２爪部位置に配置され、（Ｃ）前記端末保持部が第３保持部位置に位置する場合には、前記アーム部は前記ガイド溝の他端部にガイドされ、前記柱部は前記第２柱部位置に配置され、前記アーム部は前記第２アーム部位置に配置され、前記爪部は前記第３爪部位置に配置される。
【０００７】
上記の構成によると、利用者は、充電開始時に、第１保持部位置に位置する端末保持部の受け部に携帯端末を挿入し、携帯端末を受け部に挿入した状態で、携帯端末を後方に倒す等して端末保持部を後方に向けて揺動させることで、端末保持部を、第２保持部位置、第３保持部位置の順に順次変位させることができる。端末保持部が第２保持部位置まで変位することで、爪部が第２爪部位置に配置され、携帯端末の係合部と爪部が係合し、携帯端末が保持される。さらに端末保持部が第３保持部位置まで変位することで、爪部が第３爪部位置に配置され、爪部によって保持された携帯端末が底部に近接し、受電端子と充電端子とを電気的に接続させることができる。即ち、上記の充電台によると、携帯端末が受け部に挿入された状態の端末保持部が第３保持部位置に位置する場合に、携帯端末の二次電池の充電が行われる。即ち、利用者は、充電開始時に、第１保持部位置に位置する端末保持部の受け部に携帯端末を挿入し、携帯端末を受け部に挿入した状態で、携帯端末を後方に倒す等して端末保持部を後方に向けて揺動させるだけで、充電を開始させることができる。
【０００８】
また、利用者は、充電済みの携帯端末を充電台から取り外す際に、第３保持部位置に位置している端末保持部によって保持されている携帯端末を前方に倒す等して、端末保持部を前方に向けて揺動させることで、端末保持部を、第２保持部位置、第１保持部位置の順に順次変位させることができる。端末保持部が第２保持部位置まで変位することで、爪部によって保持された携帯端末が底部から離間し、受電端子と充電端子との接続が解除される。さらに端末保持部が第１保持部位置まで変位することで、爪部が第１爪部位置に配置され、携帯端末の係合部と爪部との係合が解除され、携帯端末の保持も解除される。端末保持部が第３保持部位置から第１保持部位置まで変位することで、受電端子と充電端子との接続と、携帯端末の係合部と爪部との係合とがともに解除されるため、利用者は、受け部から携帯端末を容易に取り外すことができる。即ち、利用者は、充電済みの携帯端末を充電台から取り外す際に、第３保持部位置に位置している端末保持部によって保持されている携帯端末を前方に倒す等して、端末保持部を前方に向けて揺動させるだけで、携帯端末を充電台から取り外すことができる。
【０００９】
従って、上記の充電台によると、利用者は、充電開始時に受電端子と充電端子とを接続させる操作、及び、携帯端末を充電台から取り外す操作を簡易に行い得る。
【００１０】
前記底部は、前記端末保持部が第１保持部位置に位置する場合において、前方に向けて傾斜していてもよい。
【００１１】
この構成によると、端末保持部が第１保持部位置に位置する場合、受け部に挿入された携帯端末の上部は、前方に向けて傾けられる。即ち、利用者が充電済みの携帯端末を充電台から取り外す際に、第３保持部位置に位置している端末保持部によって保持されている携帯端末を前方に倒す等して、端末保持部を前方に向けて揺動させた際に、携帯端末を前方に倒した勢いを利用して簡単に受け部から携帯端末を引き抜くことができる。利用者の操作をさらに簡易にし得る。
【図面の簡単な説明】
【００１２】
【図１】充電台の外観を示す斜視図。
【図２】充電台の内部構造を示す側面説明図。
【図３】充電台の内部構造を示す正面説明図。
【図４】充電台のガイド溝を示す説明図。
【図５】端末保持部が第１保持部位置に位置する場合の各構成要素を示す説明図。
【図６】端末保持部が第２保持部位置に位置する場合の各構成要素を示す説明図。
【図７】端末保持部が第３保持部位置に位置する場合の各構成要素を示す説明図。
【発明を実施するための形態】
【００１３】
（実施例）
図１に示す充電台２は、携帯端末１００を保持し、保持された携帯端末１００に搭載される二次電池（図示省略）を充電するための据置型の充電装置である。
【００１４】
本実施例の充電台２による充電の対象である携帯端末１００は、例えば情報コードリーダライタ等の可搬型の端末装置である。図１に示すように、携帯端末１００は、筐体１０２と、操作部１０４と、表示部１０６と、係合部１１０と、受電端子１２０と、を備える。筐体１０２は、携帯端末１００の本体を構成するケースである。操作部１０４は、複数個のボタン（例えば筐体１０２の側面に設けられたボタン）を備える。携帯端末１００の利用者は、操作部１０４を操作することによって、様々な指示を携帯端末１００に入力することができる。表示部１０６は、情報を表示するためのディスプレイである。係合部１１０は、筐体１０２の両側面のうち、下端部近傍の範囲に設けられている。係合部１１０は、後述の爪部７０（７０ａ、７０ｂ）と係合可能な凹部である。受電端子１２０は、筐体１０２の下端部に露出して設けられている。受電端子１２０は、充電の対象である二次電池と電気的に接続されている。
【００１５】
図１に示すように、本実施例の充電台２は、基部１０と、端末保持部２０と、充電端子４０と、保持機構５０と、を備える。基部１０は、充電台２の台座となる部分である。図２、図３に示すように、基部１０は、中空のケースによって形成されている。基部１０の上部には、端末保持部２０を前後方向（図１の矢印Ｄ２方向参照）に揺動可能に保持するための軸受部１２と、軸１４とが設けられている。
【００１６】
端末保持部２０は、携帯端末１００の下端部を保持するとともに、携帯端末１００の受電端子１２０と充電台２の充電端子４０とを電気的に接続させて充電を可能にするための部材である。図１〜図３に示すように、端末保持部２０は、中空のケース２２によって形成されている。そして、端末保持部２０は、基部１０上に設けられるとともに、基部１０に対して前後方向（矢印Ｄ２方向参照）に揺動可能に取り付けられている。より詳しく言うと、端末保持部２０は、ケース２２の内部において、軸１４において軸受部１２と固定され、軸１４を中心に前後方向に揺動可能に取り付けられている。
【００１７】
図２に示すように、端末保持部２０は、前後方向に揺動可能であることによって、前後方向における前端位置である第１保持部位置（図２中実線部参照）と、前後方向における中間位置である第２保持部位置（図２中一点鎖線部参照）と、前後方向における後端位置である第３保持部位置（図２中二点鎖線部参照）と、の間で変位可能である。
【００１８】
また、端末保持部２０は、携帯端末１００の下端部を上方から挿入可能な上方開口の受け部３０を備えている。利用者は、携帯端末１００の下端部を上方から受け部３０内に挿入することができる（図１の矢印Ｄ１参照）。図２に示すように、受け部３０の底部３２は、端末保持部２０が第１保持部位置に位置する場合において、後方（図２中の左側）から前方（同右側）に向けて高さが低くなるように傾斜している。
【００１９】
また、図３に示すように、端末保持部２０は、受け部３０の両内側面に、受け部３０内とケース２２内とを連通するガイド溝３４ａ、３４ｂを有している。以下では、左右のガイド溝３４ａ、３４ｂを総称して「ガイド溝３４」と呼ぶ場合がある。ガイド溝３４は、後述の保持機構５０のアーム部６０（６０ａ、６０ｂ）をガイドするための溝である。後で詳しく説明するが、ガイド溝３４がアーム部６０をガイドしている位置に応じて、後述の保持機構５０の各要素の位置が決定される。
【００２０】
図４に示すように、ガイド溝３４ａは、略逆Ｖ字形状に形成されている。ガイド溝３４ａは、端末保持部２０の位置が第１保持部位置、第２保持部位置、第３保持部位置の順で変位する場合、図４の矢印Ｄ２０、Ｄ２１の方向にアーム部６０ａを順次ガイドする。即ち、ガイド溝３４ａは、端末保持部２０が第１保持部位置に位置する場合には、アーム部６０ａを前端部にガイドし（図４中実線部参照）、端末保持部２０が第２保持部位置に位置する場合には、アーム部６０ａを中間部にガイドし（図４中一点鎖線部参照）、端末保持部２０が第３保持部位置に位置する場合には、アーム部６０ａを後端部にガイドする（図４中二点鎖線部参照）。
【００２１】
充電端子４０は、受け部３０に挿入された携帯端末１００の受電端子１２０と電気的に接続可能な端子である。図１、図３に示すように、充電端子４０は、受け部３０の底部３２に設けられている。充電端子４０は、図示しない電源と電気的に接続されており、充電端子４０と受電端子１２０とが電気的に接続される場合に、携帯端末１００の二次電池を充電することができる。
【００２２】
保持機構５０（５０ａ、５０ｂ）は、受け部３０に挿入される携帯端末１００を、受電端子１２０と充電端子４０とが電気的に接続した状態で保持するための機構である。図３に示すように、本実施例の充電台２は、左右一対の保持機構５０ａ、５０ｂを備える。以下では、左右の保持機構５０ａ、５０ｂを総称して「保持機構５０」と呼ぶ場合がある。保持機構５０を構成する部品についても同様に左右の区別なく（即ちａ、ｂの区別なく）総称する場合がある。
【００２３】
図３に示すように、保持機構５０は、柱部５２と、アーム部６０と、爪部７０とを備える。
【００２４】
柱部５２は、比較的長尺の棒状部材である。柱部５２の下端部は、ヒンジ５４を介して基部１０内に取り付けられる。柱部５２の上端部は、基部１０上に突出するとともに端末保持部２０のケース２２内に挿入され、かつ、受け部３０の外側方に備えられる。また、柱部５２の上端部は、ケース２２内において、下端部のヒンジ５４を支点として、内外方向（図３中の左右方向）に揺動可能である（図３の矢印Ｄ１１参照）。ここで、内外方向とは、上記前後方向と直交する方向と言うこともできる。
【００２５】
本実施例では、柱部５２は、内外方向において上端部が受け部３０から最も離れる第１柱部位置（図３中の実線部参照）と、内外方向において上端部が受け部３０に最も近づく第２柱部位置（図３中の二点鎖線部参照）と、の間で変位可能である（図３中の矢印Ｄ１１参照）。
【００２６】
アーム部６０は、比較的短尺の棒状部材である。アーム部６０の後端部は、ケース２２内において、ヒンジ５６を介して、上記の柱部５２の上端部に取り付けられている。アーム部６０の先端部は、ガイド溝３４を通って受け部３０内に突出するように備えられる。アーム部６０の先端部は、後端部のヒンジ５６を支点として、受け部３０に近づく位置と受け部３０から離れる位置との間で、内外方向に揺動可能である（図３の矢印Ｄ１０参照）。
【００２７】
本実施例では、アーム部６０は、内外方向において先端部が受け部３０から最も離れる第１アーム部位置（図３中の実線部参照）と、内外方向において先端部が受け部３０に最も近づく第２アーム部位置（図３中の一点鎖線部参照）と、の間で変位可能である（図３中の矢印Ｄ１０参照）。
【００２８】
爪部７０は、先端部に取り付けられる凸状部材である。爪部７０は、携帯端末１００の係合部１１０に係合可能な凸状に形成されている。他の例では、爪部７０の形状は凸状には限られず、係合部１１０と係合可能であれば任意の形状であってもよい。
【００２９】
本実施例では、爪部７０は、第１爪部位置（図３中の実線部参照）と、第１爪部位置よりも受け部３０の内側方向に突出する第２爪部位置（図３中の一点鎖線部参照）と、第１爪部位置及び第２爪部位置よりも底部３２に近接する第３爪部位置（図３中の二点鎖線部参照）と、の間で変位可能である（図３中の矢印Ｄ１０〜Ｄ１２参照）。爪部７０が第１爪部位置に配置される場合には、受け部３０内に携帯端末１００が挿入されている場合であっても、受け部３０内の携帯端末１００の係合部１１０と爪部７０とは係合しない。爪部７０が第２爪部位置に配置される場合には、受け部３０内に携帯端末１００が挿入されていれば、受け部３０内の携帯端末１００の係合部１１０と爪部７０とが係合する。爪部７０が第３爪部位置に配置される場合には、受け部３０内の携帯端末１００の係合部１１０と爪部７０とが係合するとともに、係合した携帯端末１００が底部３２に向けて押し下げられる（矢印Ｄ１２参照）ことにより、受電端子１２０と充電端子４０とを電気的に接続させることができる。
【００３０】
上述の通り、本実施例の充電台２では、端末保持部２０が前後方向に揺動して端末保持部２０の位置が変位することに応じて、ガイド溝３４内でアーム部６０がガイドされる位置が変わる。そして、ガイド溝３４内でアーム部６０がガイドされる位置が変わることに伴い、保持機構５０の各要素（即ち、柱部５２、アーム部６０、爪部７０）の位置も、上述した各位置の間で変位する（図３中の矢印Ｄ１０、Ｄ１１、Ｄ１２参照）。
【００３１】
続いて、図５〜図７を参照して、本実施例の充電台２において、端末保持部２０の位置の変位に伴うガイド溝３４内でのアーム部６０の位置の変位、及び、ガイド溝３４内でのアーム部６０の位置の変位に伴う保持機構５０の各要素（即ち、柱部５２、アーム部６０、爪部７０）の位置の変位について説明する。
【００３２】
図５の（ａ）は、携帯端末１００が受け部３０に挿入される前の状態（即ち待機状態）の端末保持部２０の様子を示す。図５の（ａ）が示すように、この場合、端末保持部２０は第１保持部位置に位置する。端末保持部２０が第１保持部位置に位置する場合、図５の（ｂ）に示すように、アーム部６０ａはガイド溝３４ａ内の前端部にガイドされる。図示しないが、他方のアーム部６０ｂも同様にガイド溝３４ｂ内の前端部にガイドされる。これに伴い、図５の（ｃ）に示すように、柱部５２は第１柱部位置（即ち、上端部が受け部３０から最も離れる位置）に配置され、アーム部６０は第１アーム部位置（即ち、先端部が受け部３０から最も離れる位置）に配置され、爪部７０は第１爪部位置（即ち、携帯端末１００の係合部１１０と係合しない位置）に配置される。
【００３３】
図６の（ａ）は、携帯端末１００が受け部３０に挿入され（図５の矢印Ｄ１参照）、かつ、携帯端末１００が受け部３０に挿入された状態の端末保持部２０が第１保持部位置から第２保持部位置に変位された様子を示す（矢印Ｄ２参照）。端末保持部２０が第２保持部位置に位置する場合、図６の（ｂ）に示すように、アーム部６０ａはガイド溝３４ａ内の中間部にガイドされる（矢印Ｄ２０参照）。他方のアーム部６０ｂも同様にガイド溝３４ｂ内の中間部にガイドされる。これに伴い、図６の（ｃ）に示すように、柱部５２は第１柱部位置（即ち、上端部が受け部３０から最も離れる位置）に引き続き配置される。一方、アーム部６０は第２アーム部位置（即ち、先端部が受け部３０に最も近づく位置）に配置される（矢印Ｄ１０参照）。これに伴い、爪部７０は第２爪部位置に配置され、受け部３０内の携帯端末１００の係合部１１０と係合される。
【００３４】
図７の（ａ）は、携帯端末１００が受け部３０に挿入された状態の端末保持部２０が、第２保持部位置から第３保持部位置に変位された様子を示す（矢印Ｄ２参照）。端末保持部２０が第３保持部位置に位置する場合、図７の（ｂ）に示すように、アーム部６０ａはガイド溝３４ａ内の後端部にガイドされる（矢印Ｄ２１参照）。他方のアーム部６０ｂも同様にガイド溝３４ｂ内の後端部にガイドされる。これに伴い、図７の（ｃ）に示すように、柱部５２は第２柱部位置（即ち、上端部が受け部３０に最も近づく位置）に配置される（矢印Ｄ１１参照）。アーム部６０は第２アーム部位置（即ち、先端部が受け部３０に最も近づく位置）に配置されたまま維持される。爪部７０は、柱部５２が第２柱部位置したことに伴って、第３爪部位置に配置される（矢印Ｄ１２参照）。これにより、受け部３０内の携帯端末１００の係合部１１０と爪部７０とが係合するとともに、係合した携帯端末１００が底部３２に向けて押し下げられる（矢印Ｄ３０参照）。その結果、受電端子１２０と充電端子４０とを電気的に接続させることができ、携帯端末１００の二次電池への充電が行われる。
【００３５】
以上のとおり、本実施例の充電台２では、端末保持部２０の位置の変位に伴ってガイド溝３４内でのアーム部６０の位置が変位し、ガイド溝３４内でのアーム部６０の位置の変位に伴って保持機構５０の各要素（即ち、柱部５２、アーム部６０、爪部７０）の位置が変位する。
【００３６】
従って、利用者は、充電を開始させる場合、初期位置である第１保持部位置に位置する端末保持部２０（図５参照）の受け部３０に携帯端末１００を挿入し（図５の（ａ）の矢印Ｄ１参照）、携帯端末１００を受け部３０に挿入した状態で、携帯端末１００を後方に倒して端末保持部２０を後方に向けて揺動させることで（図６の（ａ）、図７の（ａ）の矢印Ｄ２参照）、端末保持部２０を、第２保持部位置（図６参照）、第３保持部位置（図７参照）の順に順次変位させることができる。端末保持部２０が第２保持部位置まで変位することで、爪部７０が第２爪部位置に配置され、携帯端末１００の係合部１１０と爪部７０が係合し、携帯端末１００が保持される（図６の（ｃ）参照）。さらに端末保持部２０が第３保持部位置まで変位することで、爪部７０が第３爪部位置に配置され、爪部７０によって保持された携帯端末１００が底部３２に近接し、受電端子１２０と充電端子４０とを電気的に接続させることができる（図７の（ｃ）参照）。即ち、本実施例の充電台２によると、携帯端末１００が受け部３０に挿入された状態の端末保持部２０が第３保持部位置に位置する場合に、携帯端末１００の二次電池の充電が行われる。即ち、利用者は、充電開始時に、第１保持部位置に位置する端末保持部２０の受け部３０に携帯端末１００を挿入し、携帯端末１００を受け部３０に挿入した状態で、携帯端末１００を後方に倒して端末保持部２０を後方に向けて揺動させるだけで、充電を開始させることができる。
【００３７】
利用者は、充電済みの携帯端末１００を充電台２から取り外す際には、逆の操作を行なえばよい。即ち、利用者は、第３保持部位置に位置している端末保持部２０（図７参照）によって保持されている携帯端末１００を前方に倒して、端末保持部２０を前方に向けて揺動させることで、端末保持部２０を、第２保持部位置（図６参照）、第３保持部位置（図７参照）の順に順次変位させることができる。端末保持部２０が第２保持部位置まで変位することで、爪部７０によって保持された携帯端末１００が底部３２から離間し、受電端子１２０と充電端子４０との接続が解除される（図６の（ｃ）参照）。さらに、端末保持部２０が第１保持部位置まで変位することで、爪部７０が第１爪部位置に配置され、携帯端末１００の係合部１１０と爪部７０との係合が解除され、携帯端末１００の保持も解除される（図５の（ｃ）参照）。端末保持部２０が第３保持部位置から第１保持部位置まで変位することで、受電端子１２０と充電端子４０との接続と、携帯端末１００の係合部１１０と爪部７０との係合とがともに解除される。これにより、利用者は、受け部３０から携帯端末１００を容易に取り外すことができる。即ち、利用者は、充電済みの携帯端末１００を充電台２から取り外す際に、第３保持部位置に位置している端末保持部２０によって保持されている携帯端末１００を前方に倒して、端末保持部２０を前方に向けて揺動させるだけで、携帯端末１００を充電台２から取り外すことができる。
【００３８】
さらに、本実施例では、端末保持部２０が第１保持部位置に位置する場合において、受け部３０の底部３２が前方に向けて傾斜しているため（図５の（ａ）参照）、端末保持部２０が第１保持部位置に位置すると、受け部３０に挿入された携帯端末１００の上部も、前方に向けて傾けられる。即ち、利用者が充電済みの携帯端末１００を充電台２から取り外す際に、第３保持部位置に位置している端末保持部２０によって保持されている携帯端末１００を前方に倒す等して、端末保持部２０を前方に向けて揺動させた際に、携帯端末１００を前方に倒した勢いを利用して簡単に受け部３０から携帯端末１００を引き抜くことができる。利用者は、簡易な操作により、受け部３０から携帯端末１００を取り外すことができる。
【００３９】
以上の通り、利用者は、携帯端末１００の充電を開始する際、受電端子１２０と充電端子４０との接続が確保されるまで確実に携帯端末１００を押し込む必要もない。また、利用者は、携帯端末１００を充電台２から取り外す際も、受電端子１２０と充電端子４０との接続を解除した上で携帯端末１００を取り外すために、片手で充電台２を抑え、もう片手で携帯端末１００を保持して、携帯端末１００を引き抜く等する必要もない。
【００４０】
従って、本実施例の充電台２によると、充電開始時に受電端子１２０と充電端子４０とを接続させる操作、及び、携帯端末１００を充電台２から取り外す操作を簡易に行うことができる。
【００４１】
以上、本発明の具体例を詳細に説明したが、これらは例示に過ぎず、特許請求の範囲を限定するものではない。特許請求の範囲に記載の技術には以上に例示した具体例を様々に変形、変更したものが含まれる。例えば、以下の変形例を採用してもよい。
【００４２】
（変形例１）上記の実施例では、受け部３０の底部３２は、端末保持部２０が第１保持部位置に位置する場合（図５参照）において、前方に向けて傾斜している。これに限られず、底部３２は傾斜していなくてもよい。
【００４３】
（変形例２）上記の実施例では、係合部１１０は凹状に形成され、爪部７０は凸状に形成されている。これに限られず、係合部と爪部との形状は、両者が係合可能であれば任意の形状とすることができる。
【００４４】
（変形例３）上記の実施例では、柱部５２の下端部はヒンジ５４を介して基部１０内に取り付けられる。柱部５２の上端部は、ヒンジ５６を介してアーム部６０の後端部に取り付けられている。これに限られず、柱部５２は、下端部を支点として内外方向に揺動可能であれば任意の態様で基部１０に取り付けられていてもよい。また、アーム部６０も、後端部を支点として内外方向に揺動可能であれば任意の態様で柱部５２の上端部に取り付けられていてもよい。
【００４５】
（変形例４）また、上記の実施例では、端末保持部２０は、軸受部１２と軸１４とによって、基部１０に対して前後方向に揺動可能に取り付けられている。これに限られず、端末保持部２０も、基部１０に対して前後方向に揺動可能に取り付けられていれば、任意の態様で基部１０に取り付けられていてもよい。
【００４６】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【００４７】
２：充電台
１０：基部
１２：軸受部
１４：軸
２０：端末保持部
２２：ケース
３０：受け部
３２：底部
３４（３４ａ、３４ｂ）：ガイド溝
４０：充電端子
５０（５０ａ、５０ｂ）：保持機構
５２（５２ａ、５２ｂ）：柱部
５４（５４ａ、５４ｂ）：ヒンジ
５６（５６ａ、５６ｂ）：ヒンジ
６０（６０ａ、６０ｂ）：アーム部
７０（７０ａ、７０ｂ）：爪部
１００：携帯端末
１０２：筐体
１０４：操作部
１０６：表示部
１１０：係合部
１２０：受電端子
【図１】
2020048338.tif 000003
【図２】
2020048338.tif 000004
【図３】
2020048338.tif 000005
【図４】
2020048338.tif 000006
【図５】
2020048338.tif 000007
【図６】
2020048338.tif 000008
【図７】
2020048338.tif 000009